(57)【要約】【課題】  入力操作を最低限とし、直感的に操作できるようにする。【解決手段】  直線的な移動操作、もしくは傾斜操作を検知する検知手段（１）と、検知手段による検知結果に基づいて表示する地図の縮尺を変更する縮尺変更処理手段（１ａ）と、変更した縮尺に基づいて地図を表示する表示手段（１ｂ、３）とを備えている。【選択図】        図１
2008304741.tif 000002
【特許請求の範囲】
【請求項１】
直線的な移動操作、もしくは傾斜操作を検知する検知手段と、
前記検知手段による検知結果に基づいて表示する地図の縮尺を変更する縮尺変更処理手段と、
変更した縮尺に基づいて地図を表示する表示手段と、
を備えた携帯型地図表示装置。
【請求項２】
操作方向に応じて縮尺率を増減させることを特徴とする請求項１記載の携帯型地図表示装置。
【請求項３】
さらに、前記検知手段による検知結果に基づいて表示画面をスクロールするスクロール手段と、地図の縮尺変更とスクロールの処理を切り替える切替え手段とを備えたことを特徴とする請求項１または２記載の携帯型地図表示装置。
【請求項４】
操作方向に応じた方向へ画面をスクロールすることを特徴とする請求項３記載の携帯型地図表示装置。
【請求項５】
直線的な移動操作、もしくは傾斜操作を検知するステップ、
検知ステップにおける検知結果に基づいて表示する地図の縮尺を変更するステップ、
変更した縮尺に基づいて地図を表示するステップ、
をコンピュータに実行させることを特徴とするプログラム。
【発明の詳細な説明】
【技術分野】
【０００１】
本発明は表示地図の縮尺変更やスクロールの操作を簡単に行えるようにした携帯型地図表示装置及びプログラムに関する。
【背景技術】
【０００２】
近年、車載用のナビゲーション装置とともに、携帯型のナビゲーション装置も普及してきている。これらナビゲーション装置における地図画面の縮尺変更やスクロールの操作は、画面上をタッチしたり、ボタンやレバー、マウスなどのポインタを使って操作するための入力装置を備えていた。
【発明の開示】
【発明が解決しようとする課題】
【０００３】
従来提案されている地図画面の縮尺変更やスクロール操作のための入力装置では、操作をするために複数のボタン操作を覚えて使用する必要があり、操作性の点で必ずしも十分ではなかった。
【課題を解決するための手段】
【０００４】
本発明は上記課題を解決しようとするもので、入力操作を最低限とし、直感的に操作できるようにすることを目的とする。
本発明は、直線的な移動操作、もしくは傾斜操作を検知する検知手段と、前記検知手段による検知結果に基づいて表示する地図の縮尺を変更する縮尺変更処理手段と、変更した縮尺に基づいて地図を表示する表示手段とを備えたことを特徴とする。
また、本発明は、直線的な移動操作、もしくは傾斜操作を検知するステップ、検知ステップにおける検知結果に基づいて表示する地図の縮尺を変更するステップ、変更した縮尺に基づいて地図を表示するステップをコンピュータに実行させるプログラムを特徴としている。
【発明の効果】
【０００５】
本発明は、携帯型地図表示装置を動かす操作を検知して縮尺変更を行うので、直感的な操作を実現することができ、操作性を格段に向上させることができる。
【発明を実施するための最良の形態】
【０００６】
以下、本発明の実施の形態について説明する。
図１は本実施形態に係る携帯型地図表示装置の構成を示すブロック図である。
携帯型地図表示装置の本体１は、保持している地図データ２を読み込んでディスプレイ３に表示する処理を行うマイクロコンピュータであり、表示する地図の縮尺を変更する縮尺変更処理部１ａ、地図の表示処理を行う表示処理部１ｂを有している。センサ４は抵抗型、静電容量型、熱検知型等からなる加速度検知機構を半導体プロセスで作る市販のMEMS（Micro Electro Mechanical System ）センサで、例えば３軸加速度センサを用いることで直線的な動きや姿勢を検知することができるものである。この他にも、歪みゲージ式や圧電式加速度センサ、ジャイロコンパスといったセンサを用いることも可能である。本実施形態では、このセンサ１により、地図表示装置を直線的に動かす操作、傾斜させる操作を検知し、検知した操作量に応じて縮尺変更処理部１ａが表示する縮尺を決定する。この縮尺の決定は、例えば、操作量と縮尺との対応関係を示す変換テーブルを用意しておき、このテーブルを参照することで行えばよい。こうして、決定した縮尺の地図を表示処理部１ｂはディスプレイに対して出力する。なお、縮尺率を上げる操作と、下げる操作とは操作方向を判別して行うようにしてもよい。
【０００７】
図２はセンサで検知する操作の例を説明する図である。
地図表示装置１０は前面に表示画面１１を有しており、例えば、左右方向（画面に平行な水平方向）の操作（図２（ａ））、上下方向（画面に平行な垂直方向）の操作（図２（ｂ））のような直線的な移動操作、左右方向の傾斜操作（図２（ｃ））、或いは前後方向の傾斜操作をすると、センサ１でこの操作を検知し、検知した操作量に応じて縮尺変更が行われる。なお、直線的な移動操作、傾斜操作はこれに限らず、斜め方向の移動操作、傾斜操作であってもよい。
【０００８】
図３は縮尺変更と画面スクロールとを切り換えるようにした実施形態の構成を示すブロック図、図４は縮尺変更と画面スクロールとの切り換えの説明図である。
本実施形態では、図１で示した構成に、さらに画面のスクロール処理部１ｃ、切り換え制御部１ｄ、入力装置５を有している。上記したように、センサ１で装置を直線的に動かす操作、傾斜させる操作を検知すると、縮尺変更処理部１ａでは、検知した操作量に応じた縮尺を決定する。さらに本実施形態では、検知した操作量に応じてスクロール処理部１ｃで画面をスクロールする。この場合も、操作量とスクロール量との関係を示す変換テーブルを用意しておき、このテーブルを参照してスクロールすればよい。また、操作方向に応じた方向に地図をスクロールしてもよい。縮尺変更処理とスクロール処理とは切り換え制御部１ｄにより切り換えられる。すなわち、図４に示すように、入力装置５（例えば図２で示した画面下の操作ボタン）の操作で縮尺変更処理とスクロール処理とが切り換えられる。
【０００９】
本願発明は上記の例に限定されるものではなく、いろいろな変形が可能である。例えば、直線的な操作や傾斜操作の量に応じた縮尺変更において、別途操作ボタンを設けて、このボタンを押下げ中に直線的な移動操作、傾斜操作を行ったとき縮尺変更処理が行われ、操作ボタンを離したときは、離す前の縮尺に固定される、或いは操作開始時の縮尺に固定されるようにしてもよい。また、またスクロール処理においても、別途設けた操作ボタンを押下げ中に直線的な移動操作、傾斜操作を行ったときスクロール処理が行われ、操作ボタンを離したときは、離す前の位置で地図が固定される、或いは操作開始の位置（現在地等）に戻るようにしてもよい。
【図面の簡単な説明】
【００１０】
【図１】本実施形態の携帯型地図表示装置の構成を示すブロック図である。
【図２】センサで検知する操作の例を説明する図である。
【図３】縮尺変更と画面スクロールとを切り換えるようにした例を説明するブロック図である。
【図４】縮尺変更と画面スクロールとの切り換えの説明図である。
【符号の説明】
【００１１】
１…装置本体、１ａ…縮尺変更処理部、１ｂ…表示処理部、１ｃ…スクロール処理部、１ｄ…切り換え制御部、２…地図データ、３…ディスプレイ、４…センサ、５…入力装置。
【図１】
2008304741.tif 000003
【図２】
2008304741.tif 000004
【図３】
2008304741.tif 000005
【図４】
2008304741.tif 000006